(57)【特許請求の範囲】
【請求項１】
室内外を仕切可能な自動ドア本体と、
該自動ドア本体を開閉させる駆動手段と、
該駆動手段を制御する制御部と、
前記室外側から前記制御部に前記自動ドア本体を開放させる第１開信号を発信する開信号発信手段と、
前記室外側から前記制御部に前記自動ドア本体を閉鎖させる閉信号を発信する閉信号発信手段と、
前記室内側から前記自動ドア本体を施錠・解錠可能であるとともに前記制御部と電気的に接続されたロック機構と、
前記室外側で前記自動ドア本体が開閉する開口部近傍に配された光線を備え該光線が遮られたことを感知すると前記制御部に前記自動ドア本体を開放させる第２開信号を発信するセンサ装置と、を備え、
前記制御部は、前記自動ドア本体が前記開口部を開放しているとき、および前記自動ドア本体が前記開口部を開放している状態から閉鎖している状態とする閉鎖動作中に前記第２開信号を受信すると、前記自動ドア本体を開放させ、前記自動ドア本体が前記開口部を閉鎖しているときに前記第２信号を受信すると、前記自動ドア本体を閉鎖した状態とする制御を行い、
前記自動ドア本体が施錠されているときに、前記第１開信号および前記閉信号のうち１つ以上と、前記第２開信号と、が予め設定された所定の順番で所定時間および所定回数発信されると、前記制御部は、前記ロック機構が前記自動ドア本体を強制解錠する制御を行うことを特徴とする自動ドア装置。
【請求項２】
前記自動ドア本体が施錠されているときに、前記第１開信号、前記閉信号および前記第２開信号が、予め設定された所定の順番で所定時間および所定回数発信されると、前記制御部は、前記ロック機構が前記自動ドア本体を強制解錠する制御を行うことを特徴とする請求項１に記載の自動ドア装置。
【請求項３】
前記開信号発信手段は、前記室外に設けられていて押されると前記制御部に前記第１開信号を発信する開ボタンスイッチであり、前記閉信号発信手段は、前記室外に設けられていて押されると前記制御部に前記閉信号を発信する閉ボタンスイッチであり、
前記自動ドア本体が施錠されているときに、前記開ボタンスイッチおよび前記閉ボタンスイッチが同時に長押しされ、その後に第１開信号および前記閉信号のうちの１つ以上と、前記第２閉信号と、が予め設定された所定の順番で所定時間および所定回数発信されると、前記制御部は、前記ロック機構が前記自動ドア本体を強制解錠する制御を行うことを特徴とする請求項１または２に記載の自動ドア装置。
【請求項４】
前記開信号発信手段および前記閉信号発信手段は、前記室外に設けられた同一のボタンスイッチであり、
該ボタンスイッチは、前記自動ドア本体が閉鎖しているときおよび閉鎖動作中に押されると前記第１開信号を発信し、前記自動ドア本体が開放しているときおよび開放動作中に押されると前記閉信号を発信するように構成され、
前記自動ドア本体が施錠されているときに、前記ボタンスイッチが長押しされ、その後に第１開信号と、前記第２閉信号と、が予め設定された所定の順番で所定時間および所定回数発信されると、前記制御部は、前記ロック機構が前記自動ドア本体を強制解錠する制御を行うことを特徴とする請求項１または２に記載の自動ドア装置。
【請求項５】
前記開信号発信手段は前記室外に設けられていて押されると前記制御部に前記第１開信号を発信するボタンスイッチであり、
前記閉信号発信手段は、前記第１開信号および前記第２開信号が発信されていない状態で前記自動ドア本体の開放状態が所定時間経過したことを検知すると前記制御部に前記閉信号を発信するように構成され、
前記自動ドア本体が施錠されているときに、前記ボタンスイッチが長押しされ、その後に第１開信号と、前記第２開信号と、が予め設定された所定の順番で所定時間および所定回数発信されると、前記制御部は、前記ロック機構が前記自動ドア本体を強制解錠する制御を行うことを特徴とする請求項１または２に記載の自動ドア装置。
【請求項６】
前記開信号発信手段および前記閉信号発信手段のうち１つ以上は、複数種類設けられていることを特徴とする請求項１乃至５のいずれか１つに記載の自動ドア装置。
【請求項７】
室内外を仕切可能な自動ドア本体と、
該自動ドア本体を開閉させる駆動手段と、
該駆動手段を制御する制御部と、
前記室外側から前記制御部に前記自動ドア本体を開放させる第１開信号を発信する開信号発信手段と、
前記室外側から前記制御部に前記自動ドア本体を閉鎖させる閉信号を発信する閉信号発信手段と、
前記室内側から前記自動ドア本体を施錠・解錠可能であるとともに前記制御部と電気的に接続されたロック機構と、
前記室外側で前記自動ドア本体が開閉する開口部近傍に配された光線を備え該光線が遮られたことを感知すると前記制御部に前記自動ドア本体を開放させる第２開信号を発信するセンサ装置と、を備え、
該センサ装置は、複数の前記光線を備え、複数の前記光線のうちのどの光線が遮られたかを感知可能であり、
前記制御部は、前記自動ドア本体が前記開口部を開放しているとき、および前記自動ドア本体が前記開口部を開放している状態から閉鎖している状態とする閉鎖動作中に前記第２開信号を受信すると、前記自動ドア本体を開放させ、前記自動ドア本体が前記開口部を閉鎖しているときに前記第２信号を受信すると、前記自動ドア本体を閉鎖した状態とする制御を行い、
前記自動ドア本体が施錠されているときに、複数の前記光線のうちの所定の２つ以上が同時または所定の順番で遮られたことによって前記第２開信号が発信されると、前記制御部は、前記ロック機構が前記自動ドア本体を強制解錠する制御を行うことを特徴とする自動ドア装置。
【発明の詳細な説明】
【技術分野】
【０００１】
本発明は、多目的トイレなどに設置された自動ドア装置に関する。
【背景技術】
【０００２】
従来、多目的トイレに設置されている自動ドア装置には、自動ドアの内部と外部に自動ドアの開信号・閉信号を発信する押しボタンと、この押しボタンの閉信号に基づいて自動ドアを施錠し開信号に基づいて自動ドアを解錠するロック機構とを備えているものが採用されている。
また、自動ドア装置には、自動ドアの外部側に人体を検知する補助センサを備えるものがあり、該補助センサは、その検知信号に基づいて、閉鎖中の自動ドアを停止または開放可能に構成されていて、使用者が閉鎖中の自動ドアに挟まれることを防止している
このような自動ドア装置は、多目的トイレが使用中の場合には、外部からの押しボタンの操作や補助センサの検知信号が無効となっている。
【０００３】
ここで、多目的トイレの内部で使用者が具合が悪くなって倒れたり、間違って子供が閉じ込められたりした場合や、また、いたずらによって内部に人がいない状態で自動ドアが閉められたりした場合には、強制的に自動ドアを解錠する必要がある。
このため、強制解錠手段として、例えば、多目的トイレの管理者など特定の人が使用可能なキースイッチが自動ドアの外部に設けられている。
【０００４】
また、特許文献１乃至３には、多目的トイレの内部に人体の有無を検知する人感センサが設けられ、この人感センサの検知信号に基づいて自動ドアを解錠可能とした自動ドア装置が開示されている。
【０００５】
また、強制解錠手段を備えずに、施錠してから所定時間（例えば、１０分〜６０分）経過すると自動的に解錠する自動ドア装置も知られている。
【先行技術文献】
【特許文献】
【０００６】
【特許文献１】特開２００２−１８８２０４号公報
【特許文献２】特開平７−２９３１１０号公報
【特許文献３】特開平７−２９３１１１号公報
【発明の概要】
【発明が解決しようとする課題】
【０００７】
しかしながら、強制解錠手段としてキースイッチを使用する場合、キースイッチ用の鍵が、例えば、多目的トイレが設置された施設の管理事務所などの所定の場所に保管されていると、所定の場所まで鍵を取りに行く必要があり、時間と手間がかかっている。
また、既設の自動ドア装置にキースイッチを設ける場合には、大掛かりな工事が必要となり、既設の自動ドア装置への設置が困難である。
また、人感センサにより人体の有無を検知する場合は、多目的トイレの使用者が一定時間動かない場合に解錠されてしまう虞がある。
また、施錠されてから所定時間経過後に強制的に解錠する自動ドア装置では、使用中に解錠してしまう虞がある。
【０００８】
本発明は、上述する事情に鑑みてなされたもので、自動ドア装置の強制解錠を特定の人のみが容易に行うことができる自動ドア装置を提供することを目的とする。
【課題を解決するための手段】
【０００９】
上記目的を達成するため、本発明に係る自動ドア装置は、室内外を仕切可能な自動ドア本体と、該自動ドア本体を開閉させる駆動手段と、該駆動手段を制御する制御部と、前記室外側から前記制御部に前記自動ドア本体を開放させる第１開信号を発信する開信号発信手段と、前記室外側から前記制御部に前記自動ドア本体を閉鎖させる閉信号を発信する閉信号発信手段と、前記室内側から前記自動ドア本体を施錠・解錠可能であるとともに前記制御部と電気的に接続されたロック機構と、前記室外側で前記自動ドア本体が開閉する開口部近傍に配された光線を備え該光線が遮られたことを感知すると前記制御部に前記自動ドア本体を開放させる第２開信号を発信するセンサ装置と、を備え、前記制御部は、前記自動ドア本体が前記開口部を開放しているとき、および前記自動ドア本体が前記開口部を開放している状態から閉鎖している状態とする閉鎖動作中に前記第２開信号を受信すると、前記自動ドア本体を開放させ、前記自動ドア本体が前記開口部を閉鎖しているときに前記第２信号を受信すると、前記自動ドア本体を閉鎖した状態とする制御を行い、前記自動ドア本体が施錠されているときに、前記第１開信号および前記閉信号のうち１つ以上と、前記第２開信号と、が予め設定された所定の順番で所定時間および所定回数発信されると、前記制御部は、前記ロック機構が前記自動ドア本体を強制解錠する制御を行うことを特徴とする。
【００１０】
本発明では、自動ドア本体が施錠されているときに、開信号および閉信号のうち１つ以上が、予め設定された所定時間および所定回数発信されると、ロック機構は自動ドア本体を強制解錠することにより、自動ドア本体を強制解錠させるために発信する開信号および閉信号の順番、時間、回数を特定の人が管理することで、自動ドア本体の強制解錠を特定の人のみが容易に行うことができる。
また、従来のように自動ドア本体を強制解錠させるためのキースイッチが設けられている場合と比べて、キースイッチ用の鍵がなくても、開信号および閉信号を予め設定された所定の順番で所定時間、所定回数発信させることで早急に自動ドア本体を強制解錠させることができる。
また、既設の自動ドア装置を本発明の自動ドア装置に改修する場合、大掛かりな工事が必要なく、容易に改修することができる。
【００１１】
また、本発明に係る自動ドア装置では、前記自動ドア本体が施錠されているときに、前記第１開信号、前記閉信号および前記第２開信号が、予め設定された所定の順番で所定時間および所定回数発信されると、前記制御部は、前記ロック機構が前記自動ドア本体を強制解錠する制御を行うように構成されていてもよい。
このように構成されることにより、自動ドア本体を強制解錠させるための第１開信号、閉信号および第２開信号の組み合わせを多様化させることができ、第１開信号、閉信号および第２開信号の組み合わせが外部の人に知られることなく特定の人のみが管理しやすくなる。
【００１２】
また、本発明に係る自動ドア装置では、前記開信号発信手段は、前記室外に設けられていて押されると前記制御部に前記第１開信号を発信する開ボタンスイッチであり、前記閉信号発信手段は、前記室外に設けられていて押されると前記制御部に前記閉信号を発信する閉ボタンスイッチであり、前記自動ドア本体が施錠されているときに、前記開ボタンスイッチおよび前記閉ボタンスイッチが同時に長押しされ、その後に第１開信号および前記閉信号のうちの１つ以上と、前記第２閉信号と、が予め設定された所定の順番で所定時間および所定回数発信されると、前記制御部は、前記ロック機構が前記自動ドア本体を強制解錠する制御を行うように構成されていてもよい。
このように構成されることにより、自動ドア本体を強制解錠させるための、開ボタンスイッチおよび閉ボタンスイッチを押す順番、時間、回数を特定の人が管理することで、自動ドア本体の強制解錠を特定の人のみが容易に行うことができる。
【００１３】
また、本発明に係る自動ドア装置では、前記開信号発信手段および前記閉信号発信手段は、前記室外に設けられた同一のボタンスイッチであり、該ボタンスイッチは、前記自動ドア本体が閉鎖しているときおよび閉鎖動作中に押されると前記第１開信号を発信し、前記自動ドア本体が開放しているときおよび開放動作中に押されると前記閉信号を発信するように構成され、前記自動ドア本体が施錠されているときに、前記ボタンスイッチが長押しされ、その後に第１開信号と、前記第２閉信号と、が予め設定された所定の順番で所定時間および所定回数発信されると、前記制御部は、前記ロック機構が前記自動ドア本体を強制解錠する制御を行うように構成されていてもよい。
このように構成されることにより、自動ドア本体を強制解錠させるための、ボタンスイッチを押す時間、回数を特定の人が管理することで、自動ドア本体の強制解錠を特定の人のみが容易に行うことができる。
【００１４】
また、本発明に係る自動ドア装置では、前記開信号発信手段は前記室外に設けられていて押されると前記制御部に前記第１開信号を発信するボタンスイッチであり、前記閉信号発信手段は、前記第１開信号および前記第２開信号が発信されていない状態で前記自動ドア本体の開放状態が所定時間経過したことを検知すると前記制御部に前記閉信号を発信するように構成され、前記自動ドア本体が施錠されているときに、前記ボタンスイッチが長押しされ、その後に第１開信号と、前記第２閉信号と、が予め設定された所定の順番で所定時間および所定回数発信されると、前記制御部は、前記ロック機構が前記自動ドア本体を強制解錠する制御を行うように構成されていてもよい。
このように構成されることにより、自動ドア本体を解錠させるための、ボタンスイッチを押す時間、回数を特定の人が管理することで、自動ドア本体の強制解錠を特定の人のみが容易に行うことができる。
【００１６】
また、本発明に係る自動ドア装置では、前記開信号発信手段および前記閉信号発信手段のうち１つ以上は、複数種類設けられていてもよい。
このように構成されることにより、自動ドア本体を強制解錠させるための開信号および閉信号の組み合わせをさらに多様化させることができ、開信号および閉信号の組み合わせが外部の人に知られることなく特定の人のみが管理しやすくなる。
【００１７】
また、本発明に係る自動ドア装置では、室内外を仕切可能な自動ドア本体と、該自動ドア本体を開閉させる駆動手段と、該駆動手段を制御する制御部と、前記室外側から前記制御部に前記自動ドア本体を開放させる第１開信号を発信する開信号発信手段と、前記室外側から前記制御部に前記自動ドア本体を閉鎖させる閉信号を発信する閉信号発信手段と、  前記室内側から前記自動ドア本体を施錠・解錠可能であるとともに前記制御部と電気的に接続されたロック機構と、前記室外側で前記自動ドア本体が開閉する開口部近傍に配された光線を備え該光線が遮られたことを感知すると前記制御部に前記自動ドア本体を開放させる第２開信号を発信するセンサ装置と、を備え、該センサ装置は、複数の前記光線を備え、複数の前記光線のうちのどの光線が遮られたかを感知可能であり、前記制御部は、前記自動ドア本体が前記開口部を開放しているとき、および前記自動ドア本体が前記開口部を開放している状態から閉鎖している状態とする閉鎖動作中に前記第２開信号を受信すると、前記自動ドア本体を開放させ、前記自動ドア本体が前記開口部を閉鎖しているときに前記第２信号を受信すると、前記自動ドア本体を閉鎖した状態とする制御を行い、前記自動ドア本体が施錠されているときに、複数の前記光線のうちの所定の２つ以上が同時または所定の順番で遮られたことによって前記第２開信号が発信されると、前記制御部は、前記ロック機構が前記自動ドア本体を強制解錠する制御を行うことを特徴とする。
【発明の効果】
【００１８】
本発明によれば、自動ドア本体が施錠されているときに、開信号および閉信号のうち１つ以上が、予め設定された所定の順番で所定時間および所定回数発信されると、ロック機構は自動ドア本体を強制解錠することにより、自動ドア本体を強制解錠させるために発信する開信号および閉信号の時間、回数を特定の人が管理することで、自動ドア本体の強制解錠を特定の人のみが容易に行うことができる。
【図面の簡単な説明】
【００１９】
【図１】本発明の第１実施形態による自動ドア装置の一例を示す図である。
【図２】外部開スイッチおよび外部閉スイッチを示す図である。
【図３】自動ドア本体の強制解錠を説明する図である。
【図４】図３に続く自動ドア本体の強制解錠を説明する図である。
【図５】本発明の第２実施形態による自動ドア装置の一例を示す図である。
【図６】外部開スイッチおよび外部閉スイッチの他の例を示す図である。
【図７】外部開スイッチおよび外部閉スイッチのさらに他の例を示す図である。
【発明を実施するための形態】
【００２０】
（第１実施形態）
以下、本発明の第１実施形態による自動ドア装置について、図１乃至図４に基づいて説明する。
図１に示すように、本実施形態による自動ドア装置１Ａは、多目的トイレの室内外を仕切可能な自動ドア本体２と、該自動ドア本体２を開閉させる駆動手段３と、該駆動手段３を制御する制御部４と、室外側に設けられて制御部４に自動ドア本体２を開放させる開信号を発信する外部開スイッチ（開信号発信手段、開ボタンスイッチ）５と、室外側に設けられて制御部４に自動ドア本体２を閉鎖させる閉信号を発信する外部閉スイッチ（閉信号発信手段、閉ボタンスイッチ）６と、室内側から自動ドア本体２を施錠・解錠可能であるとともに制御部４と電気的に接続されたロック機構７とを備えている。
【００２１】
図２に示すように、外部開ボタンスイッチ５および外部閉ボタンスイッチ６は、それぞれ押しボタン式のスイッチで、外部開ボタンスイッチ５が押されると、自動ドア本体２を開放させる開信号が制御部４へ発信され、外部閉ボタンスイッチ６が押されると、自動ドア本体２を閉鎖させる閉信号が制御部４へ発信されるように構成されている。
また、外部開ボタンスイッチ５と外部閉ボタンスイッチ６の近傍に、多目的トイレが使用中かどうか室外から確認できるように、使用中には点灯する使用中ランプ８が設けられている。
本実施形態では、外部開ボタンスイッチ５、外部閉ボタンスイッチ６および使用中ランプ８が外部スイッチユニット９となって設けられている。
【００２２】
ロック機構７は、多目的トイレの室内側から自動ドア本体２を施錠・解錠可能に構成されているとともに、制御部４から強制解錠の信号を受信したときに強制解錠可能に構成されている。
ロック機構７は、例えば、リミットスイッチや電磁弁などを備え、これらの作動により自動ドア本体２の施錠・解錠を行っている。
【００２３】
また、本実施形態では、室内側に、自動ドア本体２を解錠し開放させる開信号を制御部４へ発信する内部開ボタンスイッチ１１と、自動ドア本体２を閉鎖させて施錠する閉信号を制御部４へ発信する内部閉ボタンスイッチ１２とが設けられている。そして、制御部４は、内部開ボタンスイッチ１１から開信号を受信すると。ロック機構７を制御して解錠するとともに駆動手段３を制御して自動ドア本体２を開放し、内部閉ボタンスイッチ１２から閉信号を受信すると、駆動手段３を制御して自動ドア本体２を閉鎖し、ロック機構７を制御して施錠するように構成されている。
【００２４】
本実施形態による自動ドア装置１Ａでは、室内側と室外側から制御部４へ開信号および閉信号を発信可能に構成されているが、制御部４は、自動ドア本体２が閉鎖され施錠されているときおよび、内部閉ボタンスイッチ１２から閉信号が発信され自動ドア本体２が閉鎖動作しているときには、外部開ボタンスイッチ５から開信号を受信しても自動ドア本体２を開放する制御を行わないように構成されている。また、内部開ボタンスイッチ１１から開信号を受信しているときには、外部閉ボタンスイッチ６から閉信号を受信しても自動ドア本体２を閉鎖する制御を行わないように構成されている。
【００２５】
ここで、制御部４は、自動ドア本体２が施錠されているときに、外部開ボタンスイッチ５および外部閉ボタンスイッチ６から予め設定された所定の順番で、所定時間、所定回数発信された開信号および閉信号を受信すると、ロック機構７を制御して自動ドア本体２を強制解錠するように構成されている。
【００２６】
自動ドア本体２の強制解錠について図３および図４のフローチャートに基づいて説明する。
図３に示すように、自動ドア本体２が施錠されて多目的トイレが使用中とされ（Ｓ１）、内部開ボタンスイッチ１１がＯＦＦ（Ｓ２）の状態で、外部開ボタンスイッチ５がＯＮ（Ｓ３）となるとともに外部閉スイッチ６がＯＮ（Ｓ４）となると、強制解錠タイマがセットされる（Ｓ５）。
【００２７】
この強制解錠タイマは、外部開ボタンスイッチ５がＯＮ（Ｓ３）となるとともに外部閉スイッチ６がＯＮ（Ｓ４）となった状態が、予め設定された時間（設定待機時間）経過したかを計測するものである。
なお、自動ドア本体２が施錠されて多目的トイレが使用中とされ（Ｓ１）、内部開ボタンスイッチ１１がＯＦＦ（Ｓ２）の状態で、外部開ボタンスイッチ５がＯＮ（Ｓ３）とならないとき、および、外部開ボタンスイッチ５がＯＮ（Ｓ３）となっても外部閉スイッチ６がＯＮ（Ｓ４）とならないときには、強制解錠タイマがリセットされる（Ｓ６）。
【００２８】
そして、外部開ボタンスイッチ５がＯＮ（Ｓ３）となるとともに外部閉ボタンスイッチ６がＯＮ（Ｓ４）となった状態が所定時間（設定待機時間）経過（Ｓ７）すると、強制解錠のための入力処理（Ｓ８）が可能な状態となる。
具体的には、外部開ボタンスイッチ５および外部閉ボタンスイッチ６を同時に所定時間以上（例えば５秒以上）長押しされると、強制解錠のための入力処理（Ｓ８）が可能な状態となる。
なお、自動ドア本体２が施錠されて多目的トイレが使用中とされているときに（Ｓ１）、内部開ボタンスイッチ１１がＯＦＦ（Ｓ２）とならない場合（内部開ボタンスイッチ１１がＯＮとなった場合）は、強制解錠タイマがリセットされ、強制解錠フラグがＯＦＦとなり、退出処理へ移行する（Ｓ９）。
【００２９】
続いて、強制解錠のための入力処理（Ｓ８）について説明する。
図４に示すように、強制解錠のための入力処理（Ｓ８）は、外部開ボタンスイッチ５がＯＮ（Ｓ３、図３参照）となるとともに外部閉スイッチ６がＯＮ（Ｓ４、図３参照）の状態が所定時間経過（Ｓ６、図３参照）し、内部開ボタンスイッチ１１がＯＦＦ（Ｓ１１）であると、使用中ランプ８が点滅（Ｓ１２）するため、使用中ランプ８が点滅したことを確認してから行うことになる。
【００３０】
そして、使用中ランプ８が点滅（Ｓ１２）してから所定時間経過（Ｓ１３）する前に、外部開ボタンスイッチ５および外部閉ボタンスイッチ６を予め設定された所定の順番で、所定時間、所定回数押す処理（Ｓ１４）を行う。
例えば、外部開ボタンスイッチ５を２回押してから外部閉ボタンスイッチ６を２回押し、制御部４に所定の開信号および閉信号を発信する。
【００３１】
なお、使用中ランプ８が点滅する処理（Ｓ１２）は必ずしも行われなくてもよい。
また、外部開ボタンスイッチ５および外部閉ボタンスイッチ６を押す順番や時間、回数は任意に設定されてよい。また、外部開ボタンスイッチ５および外部閉ボタンスイッチ６のうちいずれか一方を操作するように設定されていてもよい。
また、外部開ボタンスイッチ５および外部閉ボタンスイッチ６を押す順番や時間、回数は、異なる設定に変更できることが好ましい。
【００３２】
そして、外部開ボタンスイッチ５および外部閉ボタンスイッチ６を予め設定された所定の順番で、所定時間、所定回数押す処理（Ｓ１４）を行うと、室内側に強制解錠を行う旨を警告（Ｓ１５）する。なお、この警告は、室外側にもわかるように構成されている。
これは、自動ドア本体２を強制解錠する時は、室内に人がいる場合もあるため、自動ドア本体２が強制解錠される前の一定時間に、自動ドア本体２が強制解錠されることを警告するアラームなどを鳴らすようにしたり、「外部より強制解錠します」などの音声を鳴らしたりするものである。
【００３３】
そして、室内側に強制解錠を行う旨を警告（Ｓ１５）してから所定時間内に、内部開ボタンスイッチ１１がＯＮ（Ｓ１６）とならないとともに、内部閉ボタンスイッチ１２がＯＮ（Ｓ１７）とならず、そのまま所定時間が経過（Ｓ１８）すると、自動ドア本体２を強制解錠する制御が行われる（Ｓ１９）。
そして、自動ドア本体２の強制解錠が完了後、初期状態にリセットされる（Ｓ２０）。
なお、室内側に強制解錠を行う旨を警告（Ｓ１５）が出力されているときに、室内の内部閉ボタンスイッチ１２から制御部４へ閉信号を発信させることで強制解錠を中止できるように構成されている。
【００３４】
次に、上述した自動ドア装置１Ａの作用効果について図面を用いて説明する。
本実施形態による自動ドア装置１Ａによれば、自動ドア本体２が施錠されているときに、外部開ボタンスイッチ５および外部閉ボタンスイッチ６に予め設定された所定の操作を行うことで、専用の鍵などを使用せずに自動ドア本体２を解錠させることができる。
そして、自動ドア本体２を強制解錠させるために外部開ボタンスイッチ５および外部閉ボタンスイッチ６に施す予め設定された所定の操作を多目的トイレの管理人などの特定の人が管理することで、緊急時などに施錠された自動ドア本体２を素早く解錠させることができる。
また、既設の自動ドア装置を本実施形態の自動ドア装置１Ａに改修する場合、大掛かりな工事が必要なく、容易に改修することができる。
【００３５】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図５に示すように、第２実施形態による自動ドア装置１Ｂは、室外側で自動ドア本体２が開閉する開口部２１近傍に配された光線２２を備え、光線２２が遮られたことを感知すると制御部４に自動ドア本体２を開放させる開信号を発信するセンサ装置２３を備えている。
そして、自動ドア本体２が開放しているときまたは閉鎖動作中に、光線２２が遮られてセンサ装置２３から制御部４へ開信号が発信されると自動ドア本体２は開放されるように構成されている。また、自動ドア本体２が閉鎖して施錠されているときには、光線２２が遮られてセンサ装置２３から制御部４へ開信号が発信されても自動ドア本体２は開放されないように構成されている。
【００３６】
そして、第２実施形態では、制御部４は、自動ドア本体２が施錠されているときに、外部開ボタンスイッチ５、外部閉ボタンスイッチ６およびセンサ装置２３から予め設定された所定の順番で、所定時間、所定回数発信された開信号および閉信号を受信すると、ロック機構７を制御して自動ドア本体２を強制解錠するように構成されている。
例えば、外部開ボタンスイッチ５および外部閉ボタンスイッチ６を同時に所定時間（例えば５秒以上）押し、その後に光線２２を２回遮り、その後に外部開ボタンスイッチ５を２回押してから外部閉ボタンスイッチ６を２回押すことで、制御部４が外部開ボタンスイッチ５、外部閉ボタンスイッチ６およびセンサ装置２３からそれぞれ開信号および閉信号を受信し、自動ドア本体２を強制解錠するように構成されている。
【００３７】
第２実施形態による自動ドア装置１Ｂでは、第１実施形態と同様の効果を奏するとともに、自動ドア本体２を強制解錠させるための開信号および閉信号の組み合わせを多様化させることができる。
【００３８】
以上、本発明による自動ドア装置の実施形態について説明したが、本発明は上記の実施形態に限定されるものではなく、その趣旨を逸脱しない範囲で適宜変更可能である。
例えば、上述した実施形態では、外部開ボタンスイッチ５と外部閉ボタンスイッチ６とを備える２ボタン式のスイッチが設けられているが、図６に示すように、開信号と閉信号とを交互に発信する１ボタン式のスイッチ３１としてもよい。この場合、例えば、ボタン３２を所定時間長押しし、使用中ランプ３３が点滅した後にボタン３２を任意の回数押して制御部４に開信号および閉信号を発信させることで、自動ドア本体２を解錠できるようにしてもよい。
また、１ボタン式のスイッチ３１の場合に、この１ボタン式のスイッチ３１を、開信号と閉信号とを交互に発信するものでなく、開信号のみを発信するものとし、開信号が発信されていない状態で自動ドア本体２の開放状態が所定時間経過すると、制御部４に閉信号が発信されるように構成されていてもよい。
【００３９】
また、上述した実施形態では、自動ドア本体２を強制解錠するために操作する開信号発信手段、閉信号発信手段をボタン式スイッチの外部開ボタンスイッチ５、外部閉ボタンスイッチ６やセンサ装置２３としているが、例えば、室外側に自動ドア本体２を開放・閉鎖させるためにタッチスイッチや近接スイッチ、プルスイッチなどが設けられているときは、これらのスイッチを開信号発信手段および閉信号発信手段としてもよい。
また、上述した実施形態では、室内側に、自動ドア本体２を解錠し開放させる開信号を制御部４へ発信する内部開ボタンスイッチ１１と、自動ドア本体２を閉鎖させて施錠する閉信号を制御部４へ発信する内部閉ボタンスイッチ１２とが設けられているが、ボタンスイッチに代わって、タッチスイッチや近接スイッチ、プルスイッチなどとしてもよい。
また、室内側からの自動ドア本体２の施錠・解錠は手動で行うことができるように構成されていてもよい。
【００４０】
また、上述した第２実施形態では、制御部４は、自動ドア本体２が施錠されているときに、外部開ボタンスイッチ５、外部閉ボタンスイッチ６およびセンサ装置２３から予め設定された所定の順番で、所定時間、所定回数発信された開信号および閉信号を受信すると、ロック機構７を制御して自動ドア本体２を強制解錠するように構成されているが、センサ装置２３のみからの開信号によって自動ドア本体２を強制解錠するように構成されていてもよい。
なお、この場合、センサ装置２３の光線２２が複数配されていて、制御部４は光線２２別に開信号を判断でき、予め設定された所定の順番で所定時間、所定回数光線２２が遮られたことで自動ドア本体２を強制解錠するように構成されていてもよい。
また、図７に示すように、自動ドア本体２の強制解除手段としてキースイッチ３５を備える場合に、キースイッチ３５を使用しなくても、本実施形態のように強制解錠を行うことができる構成としてもよい。
また、上述した実施形態では、多目的トイレの自動ドア装置１Ａ，１Ｂとしているが、多目的トイレ以外に本発明の自動ドア装置１Ａ，１Ｂを設置してもよい。
【符号の説明】
【００４１】
１Ａ，１Ｂ  自動ドア装置
２  自動ドア本体
３  駆動手段
４  制御部
５  外部開ボタンスイッチ（開信号発信手段、開ボタンスイッチ）
６  外部閉ボタンスイッチ（閉信号発信手段、閉ボタンスイッチ）
７  ロック機構
２１  開口部
２２  光線
２３  センサ装置
【図１】
0005835978.tif 000002
【図２】
0005835978.tif 000003
【図３】
0005835978.tif 000004
【図４】
0005835978.tif 000005
【図５】
0005835978.tif 000006
【図６】
0005835978.tif 000007
【図７】
0005835978.tif 000008